(57)【要約】【課題】帯状体に備えられて用いられるバックルに、このバックルから引き出される帯状体の端末側を邪魔にならない長さに短縮させる機能を、その構造の複雑化を招くことなく備えさせるようにする。【解決手段】厚さ方向に帯状体Ｗを通過させるスロット１を備えてなる扁平なバックルＢである。このバックルＢにおける前記スロット１の長さ方向に沿う向きにある二カ所の端部８、８の少なくとも一方が、このバックルＢの表面部６の一部を構成する表側延出片９と、この表側延出片９との間に前記帯状体Ｗの端末Ｗａの挟持隙間１１を開けると共にバックルＢの裏面部７の一部を構成する裏側延出片１０とによって構成されている。【選択図】図３
2013248345.tif 000002
【特許請求の範囲】
【請求項１】
厚さ方向に帯状体を通過させるスロットを備えてなる扁平なバックルであって、
このバックルにおける前記スロットの長さ方向に沿う向きにある二カ所の端部の少なくとも一方が、このバックルの表面部の一部を構成する表側延出片と、この表側延出片との間に前記帯状体の端末の挟持隙間を開けると共にバックルの裏面部の一部を構成する裏側延出片とによって構成されていることを特徴とするバックル。
【請求項２】
表側延出片及び裏側延出片の一方が、挟持隙間への帯状体の端末の挿入をこの挟持隙間を広げる向きの弾性変形により許容するように構成されていることを特徴とする請求項１に記載のバックル。
【請求項３】
弾性変形可能に構成される表側延出片及び裏側延出片の一方には、スロットと略平行をなす長穴状の貫通孔が形成されていることを特徴とする請求項２に記載のバックル。
【請求項４】
表側延出片及び裏側延出片の少なくとも一方における挟持隙間に臨んだ内面に、帯状体の端末に突き立てられる突起を形成させてなることを特徴とする請求項１〜３のいずれか１項に記載のバックル。
【請求項５】
表側延出片及び裏側延出片の少なくとも一方は、スロットの長さ方向中程の位置を通るバックルの仮想の中心線上から離れるに連れて挟持隙間を漸増させる形状となっていることを特徴とする請求項１〜４のいずれか１項に記載のバックル。
【請求項６】
表側延出片及び裏側延出片の少なくとも一方の延出先端側の内面は、この延出先端に向かうに連れてこの表側延出片又は裏側延出片の厚さを漸減させる向きの傾斜面となっていることを特徴とする請求項１〜５のいずれか１項に記載のバックル。
【発明の詳細な説明】
【技術分野】
【０００１】
この発明は、ベルトやストラップなどを構成する帯状体に備えられて用いられるバックルの改良に関する。
【背景技術】
【０００２】
バックルには、テープなどとも称される帯状体の長さ方向の任意の位置においてこの帯状体に留めつく構造を持ったものがある。このような構造をもったバックルは、典型的には、前記帯状体を通過させるスロットを二カ所以上備えると共に、隣り合うスロット間を前記帯状体のかけ回し部としてなり、バックルの一面側から一方のスロットに通されてバックルの他面側に引き出された帯状体をこのバックルの他面側より他方のスロットに通してバックルの一面側に引き出すことでかかる帯状体に留めつくようになっている。したがって、この種のバックルにあっては、前記帯状体の端末側を必ずバックルから延出させることとなる。このようにバックルから延出される帯状体の端末側はこれを備える物品などの使用上の邪魔となるため、例えば、リュックサックを構成するテープにおいては、使用者においてしばしば、バックルから延び出す端末側にさらに結び目を作ったり、あるいは、この端末側を丸めた状態で別段の器具などによりこの丸めた状態を維持させるようにするなどの、かかる端末側を短縮させる措置がとられるところである。
【０００３】
なお、紐留め具（コードロック）においては、紐留め具から引き出される紐の端末側をさらに紐留め具に留めつけるようにしてこの端末側を短縮させる機能を持ったものがある。
【先行技術文献】
【特許文献】
【０００４】
【特許文献１】実公平７−４２３２３号公報
【特許文献２】特開２０００−３００３１０号公報
【発明の概要】
【発明が解決しようとする課題】
【０００５】
この発明が解決しようとする主たる問題点は、帯状体に備えられて用いられるバックルに、このバックルから引き出される帯状体の端末側を邪魔にならない長さに短縮させる機能を、その構造の複雑化を招くことなく備えさせるようにする点にある。
【課題を解決するための手段】
【０００６】
前記課題を達成するために、この発明にあっては、バックルを、厚さ方向に帯状体を通過させるスロットを備えてなる扁平なバックルであって、
このバックルにおける前記スロットの長さ方向に沿う向きにある二カ所の端部の少なくとも一方が、このバックルの表面部の一部を構成する表側延出片と、この表側延出片との間に前記帯状体の端末の挟持隙間を開けると共にバックルの裏面部の一部を構成する裏側延出片とによって構成されているものとした。
【０００７】
かかる構成によれば、帯状体におけるバックルから引き出されている端末側を、この端末を前記挟持隙間に挟み入れることで半分に折った状態でバックルによって邪魔にならないように保持することができる。かかる挟持隙間は前記表側延出片及び裏側延出片によって構成されていることから、帯状体の端末は両延出片の延出先端側、つまり、前方から挟持隙間内に挟み入れることができると共に、両延出片の延び出し方向に沿った両延出片の側端側、つまり、側方からかかる挟持隙間内に挟み入れることもできる。
【０００８】
前記表側延出片及び裏側延出片の一方を、挟持隙間への帯状体の端末の挿入をこの挟持隙間を広げる向きの弾性変形により許容するように構成させておくこともある。このようにした場合、前記挟持隙間への帯状体の端末の挿入はかかる挟持隙間を広げる向きの裏側延出片の弾性変形により許容され、挟持隙間において帯状体の端末は強固に保持される。この場合さらに、前記弾性変形可能に構成される表側延出片及び裏側延出片の一方に、前記スロットと略平行をなす長穴状の貫通孔を形成させておくこともある。このようにした場合、挟持隙間への帯状体の端末の挿入時にはかかる弾性変形可能に構成される延出片は、その延び出し方向に沿った両側端間を前記貫通孔としこの両側端部において前記弾性変形を生じるものとされ、かかる弾性変形を生じ易くなる。
【０００９】
前記表側延出片及び裏側延出片の少なくとも一方における挟持隙間に臨んだ内面に、帯状体の端末に突き立てられる突起を形成させておけば、前記挟持隙間に挟み込まれた帯状体の端末にかかる突起を突き立てさせて、この挟持隙間においてかかる端末を一層強固に保持することができる。
【００１０】
前記表側延出片及び裏側延出片の少なくとも一方を、スロットの長さ方向中程の位置を通るバックルの仮想の中心線上から離れるに連れて挟持隙間を漸増させる形状とさせておくこともある。このようにした場合、前記両延出片の延び出し方向に沿った両延出片の側端側、つまり、側方から前記挟持隙間内に帯状体の端末を挟み入れ易く、かつ、挟み入れたかかる端末に対し前記仮想の中心線位置において強い挟持力を作用させることができる。
【００１１】
前記表側延出片及び裏側延出片の少なくとも一方の延出先端側の内面を、この延出先端に向かうに連れてこの表側延出片又は裏側延出片の厚さを漸減させる向きの傾斜面とさせておくこともある。このようにした場合、かかる傾斜面によって、前記両延出片の延出先端側、つまり、前方から、前記挟持隙間内に帯状体の端末を入れ込み易くなる。
【発明の効果】
【００１２】
この発明にかかるバックルにあっては、表側挟持片と裏側挟持片と間の挟持隙間を利用して、簡素な構造をもってかかるバックルから引き出される帯状体の端末側を邪魔にならない長さに適切に短縮させることができきる。
【図面の簡単な説明】
【００１３】
【図１】図１はこの発明の一実施の形態にかかるバックルの使用状態を示した斜視図であり、帯状体の端末をバックルの挟持隙間に保持させる直前の状態を示している。
【図２】図２は前記バックルの使用状態を示した斜視図であり、帯状体の端末をバックルの挟持隙間に保持させた状態を示している。
【図３】図３は前記バックルの使用状態を示した断面図である。
【図４】図４は前記バックルの斜視図であり、このバックルをその表面部側から見て示している。
【図５】図５は前記バックルの斜視図であり、このバックルをその裏面部側から見て示している。
【図６】図６は前記バックルの平面図である。
【図７】図７は前記バックルの底面図である。
【図８】図８は前記バックルの正面図である。
【図９】図９は前記バックルの右側面図である。
【図１０】図１０は図８におけるＡ−Ａ線断面図である。
【発明を実施するための形態】
【００１４】
以下、図１〜図１０に基づいて、この発明の典型的な実施の形態について、説明する。この実施の形態にかかるバックルＢは、ベルトやストラップなどを構成する帯状体Ｗに備えられて用いられるものである。
【００１５】
典型的には、かかるバックルＢは、前記帯状体Ｗの長さ方向の任意の位置においてこの帯状体Ｗに留めつく構造を持つように構成される。また、典型的には、かかるバックルＢは、かかるバックルＢを介して一本の帯状体Ｗの端末Ｗａをつなぎ合わせ可能とする構造を持つように、または、バックルＢを介して二本の帯状体Ｗをつなぎ合わせ可能とする構造を持つように、構成される。かかるバックルＢは、前記のようにつなぎ合わされる帯状体Ｗの一方側に備えられる雄部材と、この雄部材に係脱自在に組み合わされると共に前記のようにつなぎ合わされる帯状体Ｗの他方側に備えられる雌部材との２パーツからなるもの（いわゆるサイドリリースバックルＢやフロントリリースバックルＢと称されるバックルＢ）としても、１パーツからなるもの（いわゆるトライグライドやラダーバックルＢと称されるバックルＢ）としても、構成可能である。
【００１６】
図示の例のバックルＢは１パーツからなっている。また、かかるバックルＢは、扁平な形態を持つと共に、その厚さ方向に帯状体Ｗを通過させるスロット１を二カ所以上備えて隣り合うスロット１間を前記帯状体Ｗのかけ回し部２としてなるものとなっている。
【００１７】
図示の例では、バックルＢは、前記かけ回し部２となる中間バー３と、この中間バー３との間に前記スロット１の一つを形成させる第一サイドバー４と、この中間バー３との間に前記スロット１の他の一つを形成させる第二サイドバー５とを備えている。
【００１８】
中間バー３はバックルＢの表面部６の一部を構成する外面３ａと、この外面３ａに対向する位置にあって且つバックルＢの内方に位置される内面３ｂと、第一サイドバー４との間のスロット１に臨んだ側面３ｃと、第二サイドバー５との間のスロット１に臨んだ側面３ｃとを有している。（図３）
【００１９】
第一サイドバー４におけるバックルＢの表面部６の一部を構成する部分４ａは、中間バー３の内面３ｂよりもバックルＢの裏面部７側に位置されている。（図３）
【００２０】
一方、第二サイドバー５は、中間バー３との間に形成されるスロット１に臨んだ面５ａを、バックルＢの裏面部７側に近づく連れてこの中間バー３との間に形成されるスロット１の幅を漸減させるように傾斜させている。
【００２１】
これにより、図示のバックルＢは、バックルＢの裏面部７側から中間バー３と第一サイドバー４との間のスロット１に帯状体Ｗを通すと共に、この帯状体ＷにおけるバックルＢの表面部６側に引き出された部分を中間バー３と第二サイドバー５との間のスロット１に通して再びバックルＢの裏面部７側に引き出されるようにすると、帯状体Ｗにテンションが作用された状態においては、中間バー３の外面３ａと第二サイドバー５側に向けられた側面３ｃとの間の隅部３ｄと、第二サイドバー５によって形成される前記スロット１のバックルＢの裏面部７側の開口縁とがそれぞれ帯状体Ｗに強く突き立てられて、かかる帯状体Ｗに対しバックルＢが留めつくようになっている。（図３）図示の例では、中間バー３と第一サイドバー４との間のスロット１を利用してこの第一サイドバー４に別の帯状体Ｗ’がかけ回されており、この図示の例ではバックルＢを介して二本の帯状体Ｗ、Ｗ’がつなぎ合わされている。（図１〜図３）
【００２２】
また、この実施の形態にあっては、かかるバックルＢにおける前記スロット１の長さ方向に沿う向きにある二カ所の端部８、８の一方が、このバックルＢの表面部６の一部を構成する表側延出片９と、この表側延出片９との間に前記帯状体Ｗの端末Ｗａの挟持隙間１１を開けると共にバックルＢの裏面部７の一部を構成する裏側延出片１０とによって構成されている。
【００２３】
図示の例では、バックルＢにおける前記第二サイドバー５側の端部８が、かかる表側延出片９及び裏側延出片１０によって構成されている。表側延出片９は、第二サイドバー５によって形成される前記スロット１のバックルＢの表面部６側の開口縁に続く外面９ａと、前記挟持隙間１１に臨んだ内面９ｂとを有すると共に、前記各バー３、４、５と一緒にフレームを構成する一対の側板部１２、１２の外面間に亘る長さを備えている。また、裏側延出片１０は、第二サイドバー５によって形成される前記スロット１のバックルＢの裏面部７側の開口縁に続く外面１０ａと、前記挟持隙間１１に臨んだ内面１０ｂとを有すると共に、前記一対の側板１２、１２部の外面間に亘る長さを備えている。
【００２４】
これにより、この実施の形態にかかるバックルＢにあっては、帯状体ＷにおけるバックルＢから引き出されている端末Ｗａ側を、この端末Ｗａを前記挟持隙間１１に挟み入れることで半分に折った状態でバックルＢによって邪魔にならないように保持することができる。（図３）かかる挟持隙間１１は前記表側延出片９及び裏側延出片１０によって構成されていることから、帯状体Ｗの端末Ｗａは両延出片９、１０の延出先端９ｃ、１０ｃ側、つまり、前方から挟持隙間１１内に挟み入れることができると共に、両延出片９、１０の延び出し方向に沿った両延出片９、１０の側端９ｄ、１０ｄ側、つまり、側方からかかる挟持隙間１１内に挟み入れることもできる。図示の例では、帯状体Ｗの端末Ｗａ側は、折られて二枚重ねにされており、この折った箇所によって端末Ｗａが構成されている。
【００２５】
図示の例では、挟持隙間１１は、バックルＢにおける帯状体Ｗの端末Ｗａの引き出し側にある端部８に形成されている。帯状体Ｗの端末Ｗａは、バックルＢの厚さ方向に対しこの端末Ｗａの長さ方向を略直交させる向きで前記挟持隙間１１に保持される。（図２）
【００２６】
また、この実施の形態にあっては、前記表側延出片９及び裏側延出片１０の一方、図示の例では、裏側延出片１０が、挟持隙間１１への帯状体Ｗの端末Ｗａの挿入をこの挟持隙間１１を広げる向きの弾性変形により許容するように構成されている。すなわち、表側延出片９及び裏側延出片１０は、両者間の間隔を前記帯状体Ｗの端末Ｗａの厚さよりも小さくする部分を有しており、これにより前記挟持隙間１１への帯状体Ｗの端末Ｗａの挿入がかかる挟持隙間１１を広げる向きの裏側延出片１０の弾性変形により許容され、挟持隙間１１において帯状体Ｗの端末Ｗａは強固に保持される。
【００２７】
図示の例では、このように弾性変形可能に構成される裏側延出片１０に、前記スロット１と略平行をなす長穴状の貫通孔１０ｅが形成されている。これにより、挟持隙間１１への帯状体Ｗの端末Ｗａの挿入時にはかかる裏側延出片１０は、その延び出し方向に沿った両側端１０ｄ、１０ｄ間を前記貫通孔１０ｅとしこの両側端１０ｄ、１０ｄ部において前記弾性変形を生じるものとされ、かかる弾性変形を生じ易くなっている。
【００２８】
また、かかる裏側延出片１０は、スロット１の長さ方向中程の位置を通るバックルＢの仮想の中心線ｘ（図４参照）上から離れるに連れて挟持隙間１１を漸増させる形状となっている。図示の例では、かかる裏側延出片１０は、その内面１０ｂ側を湾曲外側とするように湾曲されている。より具体的には、かかる裏側延出片１０は、前記両側端１０ｄ、１０ｄ部と、この両側端１０ｄ、１０ｄ部間に架設されたアーチ状部１０ｆとを備えた構成となっている。これにより、この実施の形態にあっては、前記両延出片９、１０の延び出し方向に沿った両延出片９、１０の側端９ｄ、１０ｄ側、つまり、側方から前記挟持隙間１１内に帯状体Ｗの端末Ｗａを挟み入れ易く、かつ、挟み入れたかかる端末Ｗａに対し前記仮想の中心線ｘ位置において強い挟持力を作用できるようになっている。
【００２９】
また、図示の例では、表側延出片９及び裏側延出片１０の少なくとも一方、図示の例では、表側延出片９の挟持隙間１１に臨んだ内面９ｂに、帯状体Ｗの端末Ｗａに突き立てられる突起９ｅが形成されている。図示の例では、裏側延出片１０の前記アーチ状部１０ｆの直上に、表側延出片９の延び出し方向に隣り合う凸条９ｆとの間に間隔を開けて、前記スロット１の長さ方向に沿って続く、前記突起９ｅとしての三条の凸条９ｆ…９ｆが形成されている。各凸条９ｆはいずれも、その断面形状において、斜辺９ｇを表側延出片９の延出先端９ｃ側に向け、底辺９ｈを挟持隙間１１の奥側に向けた直角三角形状を呈している。これにより、図示の例では、前記挟持隙間１１に挟み込まれた帯状体Ｗの端末Ｗａにかかる突起９ｅを突き立てさせて、この挟持隙間１１においてかかる端末Ｗａを一層強固に保持できるようになっている。かかる突起９ｅの前記断面形状により、帯状体Ｗの端末Ｗａを挟持隙間１１に挟み込む際には突起９ｅはこれの邪魔となり難く、一方、挟持隙間１１に挟み込まれた端末Ｗａに抜け出し方向の力が作用されたときにはこの抜け出しを阻止するようにかかる端末Ｗａに突起９ｅがより食い込むようになっている。
【００３０】
また、図示の例では、表側延出片９の延出先端９ｃ側の内面９ａは、この延出先端９ｃに向かうに連れてこの表側延出片９の厚さを漸減させる向きの傾斜面９ｉとなっている。図示の例では、表側延出片９は裏側延出片１０よりも延び出し寸法が大きく、裏側延出片１０の延出先端１０ｃよりも前方に位置される表側延出片９の延出先端９ｃに、かかる傾斜面９ｉが形成されている。かかる傾斜面９ｉによって、前記両延出片９、１０の延出先端９ｃ、１０ｃ側、つまり、前方から、前記挟持隙間１１内に帯状体Ｗの端末Ｗａを入れ込み易くなっている。
【００３１】
以上に説明したバックルＢにおける弾性変形特性を備えるべき箇所には、かかるバックルＢを合成樹脂の成形品とすることで、かかる特性を容易に付与することができる。
【符号の説明】
【００３２】
Ｗ  帯状体
Ｗａ  端末
Ｂ  バックル
１  スロット
６  表面部
７  裏面部
８  端部
９  表側延出片
１０  裏側延出片
１１  挟持隙間
【図１】
2013248345.tif 000003
【図２】
2013248345.tif 000004
【図３】
2013248345.tif 000005
【図４】
2013248345.tif 000006
【図５】
2013248345.tif 000007
【図６】
2013248345.tif 000008
【図７】
2013248345.tif 000009
【図８】
2013248345.tif 000010
【図９】
2013248345.tif 000011
【図１０】
2013248345.tif 000012